(57)【要約】【課題】接続対象となる２本の配管を、夫々の端部に取り付けたプラグ筒及びソケット筒の嵌め合わせにより接続する構成において、誤った操作による不用意な接続解除を防止する。【解決手段】ソケット筒１の嵌合周面に周設されたリング溝１３と、プラグ筒２の嵌合周面に周設されたストッパ縁２２との間にロックリング３を挾み、該ロックリング３によりソケット筒１及びプラグ筒２を抜け出し不可にロックするロック手段を構成する。またプラグ筒２の基端側に軸長方向への摺動自在に解除リング４を外嵌し、この解除リング４をプラグ筒２の嵌め込みの方向に摺動操作し、ロックリング３を拡径変形させてロック解除がなされる構成とする。ソケット筒１とプラグ筒２との接続解除は、ロック解除の後、解除リング４の操作の方向と逆向きに分離させて実現する。【選択図】　　　　図１
2004125129.tif 000002
【特許請求の範囲】
【請求項１】
第１の管の端部に取付けられたソケット筒と、第２の管の端部に取付けられ、前記ソケット筒に嵌め込まれるプラグ筒と、該プラグ筒及び前記ソケット筒の嵌合周上にて両者を抜け出し不可にロックするロック手段と、該ロック手段によるロック状態を解除するロック解除手段とを備える配管接続具において、
前記ロック解除手段は、前記プラグ筒を前記ソケット筒に嵌め込む方向への操作により、前記ロック状態を解除する構成としてあることを特徴とする配管接続具。
【請求項２】
第１の管の端部に取付けられたソケット筒と、第２の管の端部に取付けられ、前記ソケット筒に嵌め込まれるプラグ筒と、該プラグ筒及び前記ソケット筒の嵌合周上にて両者を抜け出し不可にロックするロック手段と、該ロック手段によるロック状態を解除するロック解除手段とを備える配管接続具において、
前記ロック手段は、
前記ソケット筒の嵌合周面に周設されたリング溝と、
前記プラグ筒の嵌合周面に周設され、前記ソケット筒への嵌め込みにより前記リング溝よりも内奥側に位置するストッパ縁と、
前記リング溝に保持させてあり、前記プラグ筒の嵌め込みを、前記ストッパ縁の作用により拡径して許容する一方、前記プラグ筒の抜き出し時に前記ストッパ縁との当接により阻止するロックリングとを備え、
前記ロック解除手段は、
前記ストッパ縁よりも基端側のプラグ筒の外周と前記ソケット筒の内周との間に軸長方向への摺動自在に介装してあり、プラグ筒の嵌め込みの方向への摺動時に前記ロックリングに作用し、該ロックリングを拡径変形させてロック解除する解除リングを備えることを特徴とする配管接続具。
【請求項３】
前記ストッパ縁及び解除リングは、前記ロックリングへの作用部に、前記嵌め込みの方向に向けて縮径するテーパ面を備える請求項２記載の配管接続具。
【請求項４】
前記ソケット筒と前記解除リングとの間に軸長方向への位置変え可能に介装され、前記ソケット筒への嵌め込みの方向の前記解除リングの摺動を規制する規制リングを備える請求項２又は請求項３記載の配管接続具。
【発明の詳細な説明】
【０００１】
【発明の属する技術分野】
本発明は、各種の配管の接続に用いられ、接続状態での確実なロックと、このロックの解除とを容易に行わせることができ、また誤った解除操作がなされることを有効に防止し得る配管接続具に関する。
【０００２】
【従来の技術】
ガス、液体、粉体等の流体を移送する管の接続は、各種の産業分野において必要とされる重要な技術であり、従来から種々の接続手段が採用されている。最も一般的な接続手段であるフランジ継手及びねじ継手は、良好な封止下での確実な接続状態が得られる反面、接続及び分離のための手順が煩雑であり、分離が本来不要である恒久的な接続箇所において広く採用されている。
【０００３】
これに対し、配管の接続及び分離が頻繁に行われる接続箇所においては、簡易な操作により接続及び分離をなし得る接続手段の実現が切望されており、この種の接続に用いられる配管接続具が、従来から種々提案されている（例えば、特許文献１参照）。
【０００４】
【特許文献１】
特開平８−２９６７７７号公報
【０００５】
【発明が解決しようとする課題】
ところが、このような配管接続具においては、接続、分離が可及的に容易に行えることに加えて、良好な封止下での接続状態が確実に維持され、また想定し得る誤った操作による不用意な分離が生じないという相反する要求に併せて応える必要があるが、従来においては、全ての要求に応え得る配管接続具は存在していないのが実状である。
【０００６】
前記特許文献１に記載された配管接続具は、接続対象となる管の端面に細幅のフランジを周設し、相互に突き合わせたこれらのフランジの周縁を周方向の一か所にて開閉自在に連結された接続金具により挾み、分離不可に拘束する構成としたものである。
【０００７】
この構成においては、外部に露出した状態にある前記接続金具が、使用下にて想定される外力の作用によりフランジから外れ、これにより拘束を解除された管同士が分離する虞れがある。この問題は、フランジを挾み込んだ接続金具の開放側を、ねじ、クリップ等の締め付け手段により分離不可に締結することにより解消されるが、接続及び分離操作の容易性が阻害されることとなる。
【０００８】
また、接続対象となる一方の管の端部にソケット筒を、他方の端部にプラグ筒を夫々取付け、該プラグ筒を前記ソケット筒に嵌め込むことにより接続を実現する構成とした配管接続具がある。この種の配管接続具は、接続分離のための操作が極めて容易であるという利点を有しており、例えば、家庭内に引き込まれたガスの元栓に、各種のガス器具のガスホースを接続する用途等において広く使用されている。
【０００９】
しかしながら、従来のこの種の配管接続具は、嵌め込み接続されたプラグ筒及びソケット筒を抜け止めし、接続状態を維持するためのロック手段の構造が、該ロック手段によるロック状態を解除するロック解除手段の構造を含めて複雑であるという問題がある。
【００１０】
また、前述したガスホースの接続に用いられている配管接続具、所謂、ワンタッチカプラにおいては、ロック解除手段の操作方向が、ソケット筒及びプラグ筒の抜き出しの方向と同方向に設定してあるため、例えば、接続状態の確認等を目的として抜き出し方向の外力が加えられたとき、これに伴ってロック解除がなされ、誤って接続が解除されて、内部流体の流出等の不具合を発生する虞れがあった。なお、前述したガスホースが接続されるガスの元栓には、接続解除に応じてガスの流出を止めるストッパが別途内蔵されており、誤った接続解除に対する安全対策が施されている。
【００１１】
本発明は斯かる事情に鑑みてなされたものであり、接続対象となる２本の管を夫々の端部に取り付けたプラグ筒及びソケット筒の嵌め合わせにより接続する構成において、両筒を抜け出し不可に拘束して接続状態を維持するロック手段と、このロック手段による拘束を解除するロック解除手段とを簡素な構成により実現し、またロック解除手段の誤った操作による不用意な接続解除を有効に防止し得る配管接続具を提供することを目的とする。
【００１２】
【課題を解決するための手段】
本発明の第１発明に係る配管接続具は、第１の管の端部に取付けられたソケット筒と、第２の管の端部に取付けられ、前記ソケット筒に嵌め込まれるプラグ筒と、該プラグ筒及び前記ソケット筒の嵌合周上にて両者を抜け出し不可にロックするロック手段と、該ロック手段によるロック状態を解除するロック解除手段とを備える配管接続具において、前記ロック解除手段は、前記プラグ筒を前記ソケット筒に嵌め込む方向への操作により、前記ロック状態を解除する構成としてあることを特徴とする。
【００１３】
本発明においては、ソケット筒とプラグ筒とを抜け出し不可にロックするロック手段のロック状態を、ロック解除手段を嵌め込みの方向に操作することにより解除し、この解除状態を保ってプラグ筒をソケット筒に対し嵌め込みの方向と逆向きに抜き出すことにより接続を解除する。このとき、互いに逆向きの操作が必要であり、不用意な接続解除を防止することができる。
【００１４】
また第２発明に係る配管接続具は、第１の管の端部に取付けられたソケット筒と、第２の管の端部に取付けられ、前記ソケット筒に嵌め込まれるプラグ筒と、該プラグ筒及び前記ソケット筒の嵌合周上にて両者を抜け出し不可にロックするロック手段と、該ロック手段によるロック状態を解除するロック解除手段とを備える配管接続具において、前記ロック手段は、前記ソケット筒の嵌合周面に周設されたリング溝と、前記プラグ筒の嵌合周面に周設され、前記ソケット筒への嵌め込みにより前記リング溝よりも内奥側に位置するストッパ縁と、前記リング溝に保持させてあり、前記プラグ筒の嵌め込みを、前記ストッパ縁の作用により拡径して許容する一方、前記プラグ筒の抜き出し時に前記ストッパ縁との当接により阻止するロックリングとを備え、前記ロック解除手段は、前記ストッパ縁よりも基端側のプラグ筒の外周と前記ソケット筒の内周との間に軸長方向への摺動自在に介装してあり、プラグ筒の嵌め込みの方向への摺動時に前記ロックリングに作用し、該ロックリングを拡径変形させてロック解除する解除リングを備えることを特徴とする。
【００１５】
本発明においては、ソケット筒へのプラグ筒の嵌め込みにより、プラグ筒の外周面に設けたストッパ縁が、ソケット筒の内周面に設けたリング溝に保持されたロックリングに作用し、該ロックリングを拡径しつつ通過してリング溝の内奥側に達した状態となり、この状態でのプラグ筒の抜き出しを、ストッパ縁とリング溝とに当接するロックリングにより阻止してロック状態を実現する。このロック状態を解除する場合、プラグ筒に摺動自在に保持された解除リングを嵌め込みの方向に押圧操作し、この解除リングの一部をロックリングに作用させて拡径変形させ、ストッパ縁の抜き出し方向への通過を許容し、この状態にてプラグ筒を抜き出して接続を解除する。
【００１６】
また第３発明に係る配管接続具は、第２発明におけるストッパ縁及び解除リングが、前記ロックリングへの作用部に、前記嵌め込みの方向に向けて縮径するテーパ面を備えることを特徴とする。
【００１７】
この発明においては、ストッパ縁及び解除リングのロックリングへの作用部にテーパ面を設け、このテーパ面の作用によるロックリングの拡径変形を滑らかに行わせ、ロック及びロック解除の操作性の向上を図る。
【００１８】
更に第４発明に係る配管接続具は、第２発明又は第３発明における前記ソケット筒と前記解除リングとの間に軸長方向への位置変え可能に介装され、前記ソケット筒への嵌め込みの方向の前記解除リングの摺動を規制する規制リングを備えることを特徴とする。
【００１９】
この発明においては、ロック状態を得た後のソケット筒と解除リングとの間に規制リングを介装し、ロック解除のための解除リングの操作を規制して、不用意な接続解除がなされる虞れをより確実に防止する。
【００２０】
【発明の実施の形態】
以下本発明をその実施の形態の一例を示す図面に基づいて詳述する。図１及び図２は、本発明に係る配管接続具の使用状態を示す側断面図であり、図１は、連結後の状態を、図２は、連結前の状態を夫々示している。
【００２１】
これらの図に示す如く本発明に係る配管接続具は、共に円筒形をなすソケット筒１及びプラグ筒２を備え、更に、ロックリング３、解除リング４及び規制リング５を備えている。
【００２２】
ソケット筒１の一側には、接続対象となる第１の管Ｐ１　が、またプラグ筒２の一側には、接続対象となる第２の管Ｐ２　が夫々同軸上に連結されている。なお図においては、第１の管Ｐ１　が、ソケット筒１の同側外周に形成された管用ねじへの螺合により連結され、第２の管Ｐ２　が、プラグ筒２の同側への外嵌の後、これらの外側に被せたかしめ筒６と一体にかしめることにより連結さているが、これらの連結は、他の連結手段により夫々行わせることも可能である。
【００２３】
ソケット筒１の他側には、プラグ筒２を嵌め込むための嵌合孔が開設されている。この嵌合孔は、端面の開口に連続する大径嵌合孔１０と、これの内奥側にテーパ状に縮径するテーパ孔１１を介して連設された小径嵌合孔１２とを備えており、大径嵌合孔１０の中途部内面には、前記ロックリング３が収容される凹形のリング溝１３が周設され、また小径嵌合孔１２の中途部内面には、封止用のＯリング１４が収容される凹形のＯリング溝１５が周設されている。
【００２４】
図３は、ロックリング３の外観斜視図である。本図に示す如くロックリング３は、ばね鋼、樹脂等、弾性に富む高強度の材料からなり細径の円形断面を有する線材を、周方向の一箇所に適宜幅の欠落部３０を備えるリング形に成形し、前記欠落部３０の拡縮を伴って拡径及び縮径変形が可能に構成されている。ロックリング３の自然長は、その中心径が大径嵌合孔１０の内径と略等しくなるように設定されており、図２に示す如くリング溝１３に収容されたとき、内径側の半部が大径嵌合孔１０の内面側に突出するようにしてある。
【００２５】
リング溝１３は、大径嵌合孔１０の開口側にロックリング３の太さの略半分の深さを有する浅底部を、また大径嵌合孔１０の内奥側にロックリング３の太さ以上の深さを有する深底部を夫々備え、更に、これらの間を連絡すべく開口側に向けて縮径するテーパ面を備えて形成されている。
【００２６】
またＯリング１４は、公知の如く、ゴム、樹脂等の弾性材料製の円形断面を有する連続リングであり、大径嵌合孔１０の内側に一部を突出させてＯリング溝１５の内部に嵌め込んである。
【００２７】
以上の如く構成されたソケット筒１の大径嵌合孔１０の開口側の外周面には、前記規制リング５が巻装されている。図４は、規制リング５の外観斜視図である。本図に示す如く規制リング５は、ロックリング３と同様の弾性に富む材料から薄肉の帯板を厚さ方向に屈曲し、周方向の一箇所に欠落部を有するリングとして成形されており、前記欠落部には、周方向の適長に亘って半幅をオーバラップさせてなるオーバラップ部５０，５１が設けられ、これらの先端を径方向外向きに屈曲させて操作片５２，５３が形成されている。
【００２８】
このように構成された規制リング５は、前記操作片５２，５３の夫々を、例えば手指にて把持して、図中に矢符により示す如く逆向きの周方向力を加えることにより、欠落部の拡がりを伴って拡径させることができ、この拡径状態にてソケット筒１の外周に遊嵌し、前記周方向力の印加を解除して図２に示す如く巻着されている。ソケット筒１の外周には、端部から適長に亘って外径を縮小してなる縮径部１６が設けられており、規制リング５は、拡径状態にて軸長方向に移動させ、図１に示す如く、縮径部１６に巻着せしめることも可能である。
【００２９】
一方プラグ筒２の他側には、ソケット筒１への嵌め込みのための嵌合部が設けられている。この嵌合部は、前記小径嵌合孔１２の内径と略等しい外径を有する先端嵌合部２０と、この先端嵌合部２０よりも大径であり、前記ロックリング３の内径と略等しい外径を有する基端嵌合部２１と、これらの間に位置し前記大径嵌合孔１０と略等しい外径を有する短寸のストッパ縁２２とを備えている。ストッパ縁２２と先端嵌合部２０との間は、ソケット筒１のテーパ孔１１に対応するように先端に向けてなだらかに縮径するテーパ面２３により連絡され、またストッパ縁２２と基端嵌合部２１との間は、先端側に向けてテーパ状に切り込まれたストッパ面２４により連絡されている。
【００３０】
基端嵌合部２１には、前記解除リング４が軸長方向への摺動自在に外嵌されている。解除リング４は、図示の如く、薄肉の円筒形をなす長寸のリングであり、ソケット筒１の大径嵌合部１０の内径、及び前記ストッパ縁２２の外径と略等しい外径を有している。解除リング４の長手方向の一端部には、径方向外向きに張り出すフランジ形の操作部４０が周設されており、また他端側には、端部に向けてテーパ状に縮径するガイド面４１が設けてある。
【００３１】
このような解除リング４が外嵌される基端嵌合部２１には、前記解除リング４の位置決めのための位置決めリング４２が巻装されている。位置決めリング４２は、前記ロックリング３と同様、周方向の一か所に欠落部を有し、拡縮変形が可能に構成された細径の円形断面を有するリングであり、基端嵌合部２１の中途部外周に周設された凹溝２５（図５及び図６参照）に収容されており、解除リング４の中途部内周面、及び操作部４０側端部の内周面に夫々周設された位置決め溝４３，４４（図５及び図６参照）の対応位置にて拡径変形し、これらに係合して、解除リング４の軸長方向の摺動を拘束する作用をなす。
【００３２】
図５は、以上の如く構成された本発明に係る配管接続具による接続手順の説明図である。この接続は、ソケット筒１の嵌合孔にプラグ筒２の嵌合部を嵌め込むことにより行われる。この嵌め込みは、図５（ａ）に示す如く、プラグ筒２の先端嵌合部２０がソケット筒１の小径嵌合孔１２に内嵌され、またプラグ筒２の基端嵌合部２１に外嵌された解除リング４がソケット筒１の大径嵌合孔１０に内嵌されるように進行する。
【００３３】
この嵌め込みによりロックリング３は、先端嵌合部２０に連続するテーパ面２３の作用により、リング溝１３の深底部内にて拡径変形せしめられ、テーパ面２３に連続するストッパ縁２２に乗り上げた後、このストッパ縁２２よりも小径の基端嵌合部２０に達し、自身の弾性により縮径して、図５（ｂ）に示す如く、解除リング４の先端との間に形成された凹所内に落ち込み、本図及び図１に示す如き接続状態が実現される。
【００３４】
なおこの間、解除リング４は、中途部内周面に周設された位置決め溝４３に基端嵌合部２０に巻装された位置決めリング４２を係合させて軸長方向に位置決めされており、この位置決めにより前記凹所が確保されている。
【００３５】
またこの間、ソケット筒１の小径嵌合孔１２内面のＯリング溝１５に巻装されたＯリング１４が、プラグ筒２の先端嵌合部２０の外周面に弾接した状態となり、ソケット筒１及びプラグ筒２の嵌合周上での封止がなされる。Ｏリング１４は、軸長方向に複数並設することができ、これにより封止性能を高め、高圧流体の搬送管路においても確実な封止を実現することができる。
【００３６】
図５（ｂ）に示す接続状態において、ロックリング３の外側半部は、リング溝１３の両側面に対向し、同じく内側半部は、前記ストッパ縁２２のストッパ面２４に対向している。従って、この状態にあるソケット筒１及びプラグ筒２に両者を分離させる向きの力が加えられた場合、これらは、リング溝１３の幅範囲内にて軸長方向に相対移動して図５（ｃ）に示す状態となり、ロックリング３は、リング溝１３の浅底部に入り込み、該浅底部の側面と前記ストッパ面２４との間に挾持されてソケット筒１とプラグ筒２との更なる相対移動を拘束し、両筒１，２を分離不可にロックする作用をなす。
【００３７】
このときロックリング３は、リング溝１３の浅底部の底面と基端嵌合部２１の外周面との間に密に挾持され、拡径（及び縮径）変形し得ない状態にある。従って、ソケット筒１及びプラグ筒２に両者を引き抜く向きの力が加えられたとしても、リング溝１３の側面とストッパ面２４との間でのロックリング３の挾持状態が損なわれる虞れがなく、ソケット筒１とプラグ筒２とによる第１，第２の管Ｐ１　，Ｐ２　の接続は、過大な引抜き力の作用時であっても安定して維持される。
【００３８】
一方、ソケット筒１及びプラグ筒２に両者を嵌め合わせる向きの力が加えられた場合、この力の作用によるプラグ筒２の移動は、プラグ筒２内面のテーパ面２３とソケット筒１外面のテーパ孔１１との当接により、図５（ｂ）に示す位置にて拘束され、前述した接続状態が維持される。
【００３９】
このように、本発明に係る配管接続具においては、プラグ筒２をソケット筒１に嵌め込むという簡易な操作により接続を実現することができる。また、この接続状態は、図５（ｂ）に示す位置と図５（ｃ）に示す位置との間にて維持されることから、第１，第２の管Ｐ１　，Ｐ２　の間には、軸長方向の移動がある程度許容され、しかも確実な抜け止めがなされた接続状態が得られ、夫々の位置での封止は、前述の如くソケット筒１及びプラグ筒２の嵌合周上に配したＯリング１４により良好に実現される。このことは、各種の配管系において有用な効果として利用することができる。
【００４０】
また図５（ｃ）においては、前記規制リング５を軸長方向に位置変えし、ソケット筒１の外周の縮径部１６に巻着させてある。このように巻着された規制リング５は、図示の如く、縮径部１６の一側の段部と解除リング４の端部に周設された操作部４０との間に介在し、解除リング４及びこれを外嵌保持するプラグ筒２とソケット筒１との軸長方向の相対移動を規制する作用をなす。
【００４１】
これにより、図５（ｃ）に示す接続状態、即ち、ソケット筒１とプラグ筒２とが軸長方向及び径方向に移動不可にロックされた接続状態を保つことができ、また、ロック解除のための後述する解除リング４の操作も規制され、誤った接続解除操作がなされることを完全に防止することができる。規制リング５の位置変えは、前記操作片５２，５３に把持力を加えることにより簡易に実現することが可能である。
【００４２】
図６は、本発明に係る配管接続具による接続解除手順の説明図である。この接続解除に際しては、まず、規制リング５を縮径部１６から外し、図６（ａ）に示す位置に位置変えしておき、この状態で解除リング４の操作部４０に、図中に白抜矢符にて示す如く、ソケット筒１に向かう押圧力を加える。
【００４３】
この押圧力の印加により解除リング４は、内周の位置決め溝４３に係合する位置決めリング４２の縮径変形を伴ってプラグ筒２の基端嵌合部２１に沿って摺動し、ソケット筒１の大径嵌合孔１０内に押し込まれ、該解除リング４の先端のガイド面４１がロックリング３に当接し、該ロックリング３は、テーパ形に成形されたガイド面４１の作用によりリング溝１３の深底部内にて拡径変形せしめられ、図６（ｂ）に示す如く、ガイド面４１に連続する解除リング４の周面に乗り上げる。またこのとき、解除リング４の先端のガイド面４１は、前記ストッパ縁２２の同側端部のストッパ面２４に整合し、解除リング４の周面は、これと略同径のストッパ縁２２の周面に連続する。
【００４４】
次いで、解除リング４の押し込み状態を維持しながら、図６（ｃ）中に白抜矢符により示す如くソケット筒１から引き抜く向きの力をプラグ筒２に加える。これにより解除リング４の周面に乗り上げたロックリング３は、前記周面に連続するストッパ縁２２の周面に移行し、更に、ストッパ縁２２の他側に連設されたテーパ面２３に達し、自身の弾性により縮径して自然状態に戻ることとなり、プラグ筒２は、ロックリング３により阻害されることなくソケット筒１から容易に抜き出すことができ、第１，第２の管Ｐ１　，Ｐ２　の接続が解除される。
【００４５】
解除リング４内周の位置決め溝４３は、図示の如き浅底の凹溝であり、解除リング４の押し込みは、位置決めリング４２をわずかに縮径させ得る小さい力にて行わせることができ、また解除リング４の押し込みに伴うロックリング３の拡径は、なだらかなテーパ面としてあるガイド面４１の作用により滑らかに生じる。このようにロック解除のための解除リング４の操作は、大なる力を要することなく行わせることができる。
【００４６】
また、図６（ｂ）に示すロック解除位置にまで解除リング４が押し込まれたとき、前記位置決めリング４２が、操作部４０側端部の内周面に周設された位置決め溝４４の対応位置にて拡径し、該位置決め溝４４に係合する。これにより解除リング４は、ロック解除位置に拘束されることとなり、続いて行われるプラグ筒２の引抜きに際して移動し、ロック解除状態が損なわれる虞れはない。
【００４７】
このように本発明に係る配管接続具においては、まず、解除リング４をプラグ筒２の嵌め込みの方向に押圧してロック解除し、次いで、解除リング４及びプラグ筒２を逆向きに引き抜くという２段階の操作により接続解除が実現される。このような接続解除は、前述した手順を理解している場合には容易に行えるが、接続解除の意志を持たずにソケット筒１又はプラグ筒２に対してなされる押し引き操作、並びに、使用状態において加えられる種々の外力の作用によって実現される虞れは殆どなく、不用意な接続解除を有効に防止することができる。また、前述した規制リング５を備え、ロック解除のための解除リング４の操作を規制することにより、誤った接続解除を、より確実に防止することができる。
【００４８】
【発明の効果】
以上詳述した如く本発明の第１発明に係る配管接続具においては、ソケット筒とプラグ筒とを抜け出し不可にロックするロック手段の解除が、プラグ筒の嵌め込みの方向へのロック解除手段の操作によりなされ、接続解除のためには、ロック解除後の逆方向へのプラグ筒の抜き出し操作が必要であり、誤った操作により不用意に接続解除がなされることを有効に防止することができる。
【００４９】
また本発明の第２発明に係る配管接続具においては、ソケット筒の嵌合周面に周設されたリング溝、該リング溝に保持されたロックリング、及びプラグ筒の嵌合周面に周設されたストッパ縁によりロック手段を構成し、また、プラグ筒とソケット筒との間に摺動自在に介装された解除リングにより、プラグ筒の嵌め込みの方向への操作によりロック解除するロック解除手段を構成したから、第１発明と同様に、誤った操作による不用意な接続解除の防止を、簡素な構成により実現することが可能となる。
【００５０】
また第３発明に係る配管接続具においては、ロックリングへのストッパ縁及び解除リングの作用部にテーパ面を設けたから、ロック及びロック解除時におけるロックリングの拡径変形を滑らかに行わせることができ、ロック及びロック解除時の操作性が良好となる。
【００５１】
更に第４発明に係る配管接続具においては、ロック解除のための解除リングの操作を、ソケット筒との間に位置変え可能に介装された規制リングにより規制したから、不用意な接続解除がなされる虞れをより確実に防止することが可能となる等、本発明は優れた効果を奏する。
【図面の簡単な説明】
【図１】本発明に係る配管接続具の使用状態を示す側断面図である。
【図２】本発明に係る配管接続具の使用状態を示す側断面図である。
【図３】ロックリングの外観斜視図である。
【図４】規制リングの外観斜視図である。
【図５】本発明に係る配管接続具による接続手順の説明図である。
【図６】本発明に係る配管接続具による接続解除手順の説明図である。
【符号の説明】
１　　ソケット筒
２　　プラグ筒
３　　ロックリング
４　　解除リング
５　　規制リング
Ｐ１　　第１の管
Ｐ２　　第２の管
１３　　リング溝
２２　　ストッパ縁
２３　　テーパ面
４１　　ガイド面
【図１】
2004125129.tif 000003
【図２】
2004125129.tif 000004
【図３】
2004125129.tif 000005
【図４】
2004125129.tif 000006
【図５】
2004125129.tif 000007
【図６】
2004125129.tif 000008